【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
映像データを符号化する方法であって、
ピクチャの非境界ブロックにアクセスすることと、
前記ブロックに関する利用可能なイントラ予測モードのセットからイントラ予測モードを決定することであって、前記セット内の前記利用可能なイントラ予測モードの数は、前記ブロックの垂直位置に依存し、前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さいことと、
前記決定されたイントラ予測モードを用いて、前記ブロックを符号化することと
を備える方法。
【請求項２】
映像データを復号する方法であって、
ピクチャの非境界ブロックに関する利用可能なイントラ予測モードのセットからイントラ予測モードを決定することであって、前記セット内の前記利用可能なイントラ予測モードの数は、前記ブロックの垂直位置に依存し、前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さいことと、
前記決定されたイントラ予測モードを用いて、前記ブロックを復号することと
を備える方法。
【請求項３】
映像データを符号化するための装置であって、少なくとも１つのメモリと、１または複数のプロセッサとを備え、前記１または複数のプロセッサは、
ピクチャの非境界ブロックにアクセスし、
前記ブロックに関する利用可能なイントラ予測モードのセットからイントラ予測モードを決定し、ここで前記セット内の前記利用可能なイントラ予測モードの数は、前記ブロックの垂直位置に依存し、ここで前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さく、
前記決定されたイントラ予測モードを用いて、前記ブロックを符号化する
ように構成される、装置。
【請求項４】
映像データを復号するための装置であって、少なくとも１つのメモリと、１または複数のプロセッサとを備え、前記１または複数のプロセッサは、
ピクチャの非境界ブロックに関する利用可能なイントラ予測モードのセットからイントラ予測モードを決定し、ここで前記セット内の前記利用可能なイントラ予測モードの数は、前記ブロックの垂直位置に依存し、ここで前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さく、
前記決定されたイントラ予測モードを用いて、前記ブロックを復号する
ように構成される、装置。
【請求項５】
前記ブロックに関する前記イントラ予測モードは、固定長コードを用いて符号化され、前記固定長コードの長さは、前記セット内の利用可能なイントラ予測モードの数に基づき、前記固定長コードの長さは、前記ブロックの前記垂直位置に依存する、請求項１または２のいずれか１項に記載の方法、または請求項３または４のいずれか１項に記載の装置。
【請求項６】
前記利用可能なイントラ予測モードにおける２つの隣接するイントラ予測モード間の角度差は、前記ブロックの前記位置に基づく、請求項１、２、または５のいずれか１項に記載の方法、または請求項３〜５のいずれか１項に記載の装置。
【請求項７】
隣接ブロックのイントラ予測モードに基づいて、前記ブロックに関する第１の最確モードを決定することと、
前記第１の最確モードに基づいて、前記ブロックに関する第２の最確モードを決定することであって、前記第１の最確モードと前記第２の最確モードとの間の角度差は、前記ブロックの前記位置に基づくことと
を更に備える、請求項１、２、または６のいずれか１項に記載の方法。
【請求項８】
前記１または複数のプロセッサは、
隣接ブロックのイントラ予測モードに基づいて、前記ブロックに関する第１の最確モードを決定し、
前記第１の最確モードに基づいて、前記ブロックに関する第２の最確モードを決定するように構成され、前記第１の最確モードと前記第２の最確モードとの間の角度差は、前記ブロックの前記位置に基づく、請求項３、４、５、または６のいずれか１項に記載の装置。
【請求項９】
前記ブロックに関する前記イントラ予測モードは、前記第１の最確モードおよび前記第２の最確モードの１つであるように選択される、請求項７に記載の方法、または請求項８に記載の装置。
【請求項１０】
前記ピクチャは第１のブロックおよび第２のブロックを有し、前記第１のブロックに関する利用可能なイントラ予測モードの第１のセットは、前記第２のブロックに関する利用可能なイントラ予測モードの第２のセットとは異なり、前記利用可能なイントラ予測モードの第１のセットにおける２つの隣接するイントラ予測モード間の第１の角度差は、前記利用可能なイントラ予測モードの第２のセットにおける２つの隣接するイントラ予測モード間の第２の角度差と同じである、請求項１、２、または５〜９のいずれか１項に記載の方法、または請求項３、４、または５〜９のいずれか１項に記載の装置。
【請求項１１】
前記ピクチャは第１のブロックおよび第２のブロックを有し、前記第１のブロックに関する利用可能なイントラ予測モードの第１のセットは、利用可能なイントラ予測モードの第２のセットとは異なり、前記第１のブロックに関する前記利用可能なイントラ予測モードの第１のセットは、連続したイントラ予測モードインデックスの第１のセットによって表され、前記第２のブロックに関する前記利用可能なイントラ予測モードの第２のセットは、連続したイントラ予測モードインデックスの第２のセットによって表される、請求項１、２、５〜８、または１０のいずれか１項に記載の方法、または請求項３、４、５〜７、または９〜１０のいずれか１項に記載の装置。
【請求項１２】
前記利用可能なイントラ予測モードの第１のセットおよび前記利用可能なイントラ予測モードの第２のセットにおける同じイントラ予測モードインデックスは、同じイントラ予測モードに対応する、請求項１１に記載の方法、または請求項１１に記載の装置。
【請求項１３】
前記ブロックに関する前記セット内の利用可能なイントラ予測モードの数を前記ブロックの前記位置に関連付けるためにルックアップテーブルが用いられる、請求項１、２、５〜８、または１０〜１２のいずれか１項に記載の方法、または請求項３、４、５〜７、または１０〜１２のいずれか１項に記載の装置。
【請求項１４】
符号化映像を表現するビットストリームであって、
ピクチャの非境界ブロックを表現する符号化データと、
前記ブロックに関する利用可能なイントラ予測モードのセットのうちのイントラ予測モードを表現する符号化データと
を備え、前記セット内の前記利用可能なイントラ予測モードの数は、前記ブロックの垂直位置に依存し、前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さく、前記ブロックは、前記イントラ予測モードを用いて符号化される、ビットストリーム。
【請求項１５】
１または複数のプロセッサによって実行されると、請求項１、２、５〜８、または１０〜１３のいずれか１項に記載の方法を実行するためのソフトウェアコード命令を備えるコンピュータプログラム製品。
【手続補正２】
【補正対象書類名】明細書
【補正対象項目名】０１７８
【補正方法】変更
【補正の内容】
【０１７８】
当業者には明らかであるように、実装は、たとえば格納または伝送され得る情報を搬送するためにフォーマット化された様々な信号を生成してよい。情報はたとえば、方法を実行するための命令、または説明された実装の１つによって生成されたデータを含んでよい。たとえば信号は、説明された実施形態のビットストリームを搬送するためにフォーマット化され得る。そのような信号はたとえば、（たとえばスペクトルの無線周波数部分を用いて）電磁波として、またはベースバンド信号としてフォーマット化され得る。フォーマット化は、たとえばデータストリームを符号化し、符号化されたデータストリームによって搬送波を変調することを含んでよい。信号が搬送する情報はたとえば、アナログまたはデジタル情報であってよい。信号は、既知であるように、様々な有線または無線リンクを介して伝送され得る。信号は、プロセッサ可読媒体に格納され得る。
［付記１］
映像データを符号化する方法であって、
ピクチャの非境界ブロックにアクセスすることと、
前記ブロックに関する利用可能なイントラ予測モードのセットからイントラ予測モードを決定することであって、前記セット内の前記利用可能なイントラ予測モードの数は、前記ブロックの垂直位置に依存すること（２１２０、２２６０）と、
前記決定されたイントラ予測モードを用いて、前記ブロックを符号化することと
を備える方法。
［付記２］
映像データを復号する方法であって、
ピクチャの非境界ブロックに関する利用可能なイントラ予測モードのセットからイントラ予測モードを決定することであって、前記セット内の前記利用可能なイントラ予測モードの数は、前記ブロックの垂直位置に依存すること（２１２０、２２６０）と、
前記決定されたイントラ予測モードを用いて、前記ブロックを復号することと
を備える方法。
［付記３］
映像データを符号化するための装置であって、少なくとも１つのメモリと、１または複数のプロセッサとを備え、前記１または複数のプロセッサは、
ピクチャの非境界ブロックにアクセスし、
前記ブロックに関する利用可能なイントラ予測モードのセットからイントラ予測モードを決定し、ここで前記セット内の前記利用可能なイントラ予測モードの数は、前記ブロックの垂直位置に依存し、
前記決定されたイントラ予測モードを用いて、前記ブロックを符号化する
ように構成される、装置。
［付記４］
映像データを復号するための装置であって、少なくとも１つのメモリと、１または複数のプロセッサとを備え、前記１または複数のプロセッサは、
ピクチャの非境界ブロックに関する利用可能なイントラ予測モードのセットからイントラ予測モードを決定し、ここで前記セット内の前記利用可能なイントラ予測モードの数は、前記ブロックの垂直位置に依存し、
前記決定されたイントラ予測モードを用いて、前記ブロックを復号する
ように構成される、装置。
［付記５］
前記ブロックが第２のブロックよりも前記ピクチャの中心から垂直方向に離れている場合、前記ブロックに関する利用可能なイントラ予測モードの数は、前記第２のブロックに関する利用可能なイントラ予測モードの数よりも小さい、付記１または２に記載の方法、または付記３または４に記載の装置。
［付記６］
前記ブロックに関する前記イントラ予測モードは、固定長コードを用いて符号化され、前記固定長コードの長さは、前記セット内の利用可能なイントラ予測モードの数（２２６０）に基づき、前記固定長コードの長さは、前記ブロックの前記垂直位置に依存する、付記１、２、または５のいずれか１つに記載の方法、または付記３〜５のいずれか１つに記載の装置。
［付記７］
前記利用可能なイントラ予測モードにおける２つの隣接するイントラ予測モード間の角度差は、前記ブロックの前記位置に基づく、付記１、２、または５〜６のいずれか１つに記載の方法、または付記３〜６のいずれか１つに記載の装置。
［付記８］
隣接ブロックのイントラ予測モードに基づいて、前記ブロックに関する第１の最確モードを決定することと、
前記第１の最確モードに基づいて、前記ブロックに関する第２の最確モードを決定することであって、前記第１の最確モードと前記第２の最確モードとの間の角度差は、前記ブロックの前記位置に基づくことと
を更に備える、付記１、２、または５〜７のいずれか１つに記載の方法。
［付記９］
前記１または複数のプロセッサは、
隣接ブロックのイントラ予測モードに基づいて、前記ブロックに関する第１の最確モードを決定し、
前記第１の最確モードに基づいて、前記ブロックに関する第２の最確モードを決定する
ように構成され、前記第１の最確モードと前記第２の最確モードとの間の角度差は、前記ブロックの前記位置に基づく、付記３〜７のいずれか１つに記載の装置。
［付記１０］
前記ブロックに関する前記イントラ予測モードは、前記第１の最確モードおよび前記第２の最確モードの１つであるように選択される、付記８に記載の方法、または付記９に記載の装置。
［付記１１］
前記ピクチャは第１のブロックおよび第２のブロックを有し、前記第１のブロックに関する利用可能なイントラ予測モードの第１のセットは、前記第２のブロックに関する利用可能なイントラ予測モードの第２のセットとは異なり、前記利用可能なイントラ予測モードの第１のセットにおける２つの隣接するイントラ予測モード間の第１の角度差は、前記利用可能なイントラ予測モードの第２のセットにおける２つの隣接するイントラ予測モード間の第２の角度差と同じである、付記１、２、または５〜１０のいずれか１つに記載の方法、または付記３〜８または１０のいずれか１つに記載の装置。
［付記１２］
前記ピクチャは第１のブロックおよび第２のブロックを有し、前記第１のブロックに関する利用可能なイントラ予測モードの第１のセットは、利用可能なイントラ予測モードの第２のセットとは異なり、前記第１のブロックに関する前記利用可能なイントラ予測モードの第１のセットは、連続したイントラ予測モードインデックスの第１のセットによって表され、前記第２のブロックに関する前記利用可能なイントラ予測モードの第２のセットは、連続したイントラ予測モードインデックスの第２のセットによって表される、付記１、２、５〜９、または１１のいずれか１つに記載の方法、または付記３〜８または１０〜１１のいずれか１つに記載の装置。
［付記１３］
前記利用可能なイントラ予測モードの第１のセットおよび前記利用可能なイントラ予測モードの第２のセットにおける同じイントラ予測モードインデックスは、同じイントラ予測モードに対応する、付記１２に記載の方法、または付記１２に記載の装置。
［付記１４］
前記ブロックに関する前記セット内の利用可能なイントラ予測モードの数を前記ブロックの前記位置に関連付けるためにルックアップテーブルが用いられる、付記１、２、５〜９、または１１〜１３のいずれか１つに記載の方法、または付記３〜８または１１〜１３のいずれか１つに記載の装置。
［付記１５］
符号化映像を表現するビットストリームであって、
ピクチャの非境界ブロックを表現する符号化データと、
前記ブロックに関する利用可能なイントラ予測モードのセットのうちのイントラ予測モードを表現する符号化データと
を備え、前記セット内の前記利用可能なイントラ予測モードの数は、前記ブロックの垂直位置に依存し、前記ブロックは、前記イントラ予測モードを用いて符号化される、ビットストリーム。
［付記１６］
１または複数のプロセッサによって実行されると、付記１、２、５〜９、または１１〜１４のいずれか１つに記載の方法を実行するためのソフトウェアコード命令を備えるコンピュータプログラム製品。